【手続補正書】
【提出日】平成16年5月26日(2004.5.26)
【手続補正１】
【補正対象書類名】明細書
【補正対象項目名】発明の名称
【補正方法】変更
【補正の内容】
【発明の名称】画像出力装置、画像出力システム、画像出力装置の制御方法、及び制御プログラム
【手続補正２】
【補正対象書類名】明細書
【補正対象項目名】特許請求の範囲
【補正方法】変更
【補正の内容】
【特許請求の範囲】
【請求項１】
ホスト装置が伝送媒体を介して接続された画像出力装置において、
画像ファイルが記憶された画像記憶手段と、
前記画像記憶手段に記憶された画像ファイルの縮小画像の一覧を所定データ形式の文書として生成する生成手段と、
前記生成手段で生成された所定データ形式の文書を、所定のプロトコルにより前記ホスト装置に送信する送信手段とを備えたことを特徴とする画像出力装置。
【請求項２】
ホスト装置が伝送媒体を介して接続された画像出力装置において、
複数画像ページからなる画像ファイルが記憶された画像記憶手段と、
前記画像記憶手段に記憶された画像ファイルの先頭ページ画像のみを縮小した画像の一覧を所定データ形式の文書として生成する生成手段と、
前記生成手段で生成された所定データ形式の文書を、所定のプロトコルにより前記ホスト装置に送信する送信手段とを備えたことを特徴とする画像出力装置。
【請求項３】
ホスト装置が伝送媒体を介して接続された画像出力装置において、
複数の画像を複数の画像格納庫に分割して格納する画像管理手段と、
前記各画像格納庫に保持される複数画像ページからなる画像ファイルの先頭ページ画像のみを縮小した画像の一覧を、所定データ形式の文書として生成する生成手段と、
前記生成手段で生成された所定データ形式の文書を、所定のプロトコルにより前記ホスト装置に送信する送信手段とを備えたことを特徴とする画像出力装置。
【請求項４】
前記所定データ形式の文書はＨＴＭＬ文書であり、前記所定のプロトコルはＨＴＴＰプロトコルであることを特徴とする請求項１乃至３のいずれかに記載の画像出力装置。
【請求項５】
画像出力装置とホスト装置が伝送媒体を介して接続された画像出力システムにおいて、
前記画像出力装置は、
画像ファイルを記憶媒体上に保持する画像記憶手段と、
前記ホスト装置からの所定データ形式のコマンドに基づいて、前記画像記憶手段に保持される画像ファイルの縮小画像の一覧を前記所定データ形式の文書として生成する生成手段と、
前記生成手段で生成された所定データ形式の文書を、所定のプロトコルにより前記ホスト装置に送信する送信手段とを備え、
前記ホスト装置は、
前記所定のプロトコルに対応したコマンドをユーザー入力に応じて前記画像出力装置に送信し、前記画像出力装置より受信した前記所定データ形式の文書を解釈し表示を行うＷｅｂブラウザ手段を備えたことを特徴とする画像出力システム。
【請求項６】
画像出力装置とホスト装置が伝送媒体を介して接続された画像出力システムにおいて、
前記画像出力装置は、
複数画像ページからなる画像ファイルを記憶媒体上に保持する画像記憶手段と、
前記ホスト装置からの所定データ形式のコマンドに基づいて、前記画像記憶手段に保持された複数画像ページからなる画像ファイルの先頭ページ画像のみを縮小した画像の一覧を、前記所定データ形式の文書として生成する生成手段と、
前記生成手段で生成された所定データ形式の文書を、所定のプロトコルにより前記ホスト装置に送信する送信手段とを備え、
前記ホスト装置は、
前記所定のプロトコルに対応したコマンドをユーザー入力に応じて前記画像出力装置に送信し、前記画像出力装置より受信した前記所定データ形式の文書を解釈し表示を行うＷｅｂブラウザ手段を備えたことを特徴とする画像出力システム。
【請求項７】
画像出力装置とホスト装置が伝送媒体を介して接続された画像出力システムにおいて、
前記画像出力装置は、
複数の画像を複数の画像格納庫に分割して格納する画像管理手段と、
前記ホスト装置からの所定データ形式のコマンドに基づいて、前記各画像格納庫に保持された複数画像ページからなる画像ファイルの先頭ページ画像のみを縮小した画像の一覧を、前記所定データ形式の文書として生成する生成手段と、
前記生成手段で生成された所定データ形式の文書を、所定のプロトコルにより前記ホスト装置に送信する送信手段とを備え、
前記ホスト装置は、
前記所定のプロトコルに対応したコマンドをユーザー入力に応じて前記画像出力装置に送信し、前記画像出力装置より受信した前記所定データ形式の文書を解釈し表示を行うＷｅｂブラウザ手段を備えたことを特徴とする画像出力システム。
【請求項８】
前記所定データ形式の文書はＨＴＭＬ文書であり、前記所定のプロトコルはＨＴＴＰプロトコルであることを特徴とする請求項５乃至７のいずれかに記載の画像出力システム。
【請求項９】
ホスト装置が伝送媒体を介して接続された画像出力装置において、
画像記憶手段に記憶される画像ファイルの縮小画像の一覧を所定データ形式の文書として生成する生成行程と、
前記生成行程で生成された所定データ形式の文書を、所定のプロトコルにより前記ホスト装置に送信する送信行程とを実行することを特徴とする画像出力装置の制御方法。
【請求項１０】
ホスト装置が伝送媒体を介して接続された画像出力装置において、
複数画像ページからなる画像ファイルが記憶された画像記憶手段の前記画像ファイルの先頭ページ画像のみを縮小した画像の一覧を所定データ形式の文書として生成する生成行程と、
前記生成行程で生成された所定データ形式の文書を、所定のプロトコルにより前記ホスト装置に送信する送信行程とを実行することを特徴とする画像出力装置の制御方法。
【請求項１１】
ホスト装置が伝送媒体を介して接続された画像出力装置において、
複数の画像を複数の画像格納庫に分割して格納する画像管理行程と、
前記各画像格納庫に保持された複数画像ページからなる画像ファイルの先頭ページ画像のみを縮小した画像の一覧を、所定データ形式の文書として生成する生成行程と、
前記生成行程で生成された所定データ形式の文書を、所定のプロトコルにより前記ホスト装置に送信する送信行程とを実行することを特徴とする画像出力装置の制御方法。
【請求項１２】
前記所定データ形式の文書はＨＴＭＬ文書であり、前記所定のプロトコルはＨＴＴＰプロトコルであることを特徴とする請求項９乃至１１のいずれかに記載の画像出力装置の制御方法。
【請求項１３】
ホスト装置が伝送媒体を介して接続された画像出力装置の制御方法を実行するための制御プログラムであって、
画像記憶手段に記憶される画像ファイルの縮小画像の一覧を所定データ形式の文書として生成する生成ステップと、
前記生成ステップで生成された所定データ形式の文書を、所定のプロトコルにより前記ホスト装置に送信する送信ステップとを備えたことを特徴とする制御プログラム。
【請求項１４】
ホスト装置が伝送媒体を介して接続された画像出力装置の制御方法を実行するための制御プログラムであって、
複数画像ページからなる画像ファイルが記憶された画像記憶手段の前記画像ファイルの先頭ページ画像のみを縮小した画像の一覧を所定データ形式の文書として生成する生成ステップと、
前記生成ステップで生成された所定データ形式の文書を、所定のプロトコルにより前記ホスト装置に送信する送信ステップとを備えたことを特徴とする制御プログラム。
【請求項１５】
ホスト装置が伝送媒体を介して接続された画像出力装置の制御方法を実行するための制御プログラムであって、
複数の画像を複数の画像格納庫に分割して格納する画像管理ステップと、
前記各画像格納庫に保持される複数画像ページからなる画像ファイルの先頭ページ画像のみを縮小した画像の一覧を、所定データ形式の文書として生成する生成ステップと、
前記生成ステップで生成された所定データ形式の文書を、所定のプロトコルにより前記ホスト装置に送信する送信ステップとを備えたことを特徴とする制御プログラム。
【請求項１６】
前記所定データ形式の文書はＨＴＭＬ文書であり、前記所定のプロトコルはＨＴＴＰプロトコルであることを特徴とする請求項１３乃至１５のいずれかに記載の制御プログラム。
【手続補正３】
【補正対象書類名】明細書
【補正対象項目名】０００８
【補正方法】変更
【補正の内容】
【０００８】
本発明は上記従来の問題点に鑑み、画像出力装置より受信した蓄積画像をホストコンピュータ上のＷｅｂブラウザで閲覧する際に、画像出力装置に多量の画像が蓄積されている場合であっても、その蓄積画像の一覧の中から容易に所望の画像を選別することでき、画像選択の作業性を向上させた画像出力装置、画像出力システム、画像出力装置の制御方法、及び制御プログラムを提供することを目的とする。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】